(57)【特許請求の範囲】
【請求項１】
一または複数の光源と、
前記一または複数の光源から出射された光に照らされる演出部材と、
前記演出部材に駆動源の動力を伝達する動力伝達部材と、
を備え、
前記動力伝達部材には、前記一または複数の光源うちの少なくとも一部の光源から出射された光を透過させる部分であって、前記駆動源の動力が伝達されたときに変位する移動透過部が形成されており、
前記演出部材は前記駆動源の動力によって回転するものであり、
前記演出部材には、前記一または複数の光源から出射された光を透過させる透過部が形成され、
前記透過部は、前記演出部材の回転中心側から外側に向かって延びる一または複数の線状透過部を含むものであることを特徴とする遊技機。
【請求項２】
前記演出部材は前記駆動源の動力によって一方向に回転するものであり、
前記線状透過部は、前記演出部材の回転中心側から外側に向かって、当該演出部材の回転方向に湾曲または傾斜する形状を有することを特徴とする請求項１に記載の遊技機。
【請求項３】
前記線状透過部は、光を透過させる点状の部分が線状に並んだものであることを特徴とする請求項１または請求項２に記載の遊技機。
【発明の詳細な説明】
【技術分野】
【０００１】
本発明は、駆動源の動力を演出部材に伝達する動力伝達部材を備えた遊技機に関する。
【背景技術】
【０００２】
例えば、下記特許文献１等に記載されるように、モータ等の駆動源によって動作可能であり、かつ光源の光によって照らされる演出部材を備えた遊技機が種々知られている。
【先行技術文献】
【特許文献】
【０００３】
【特許文献１】特開２０１５−３２１７号公報
【発明の概要】
【発明が解決しようとする課題】
【０００４】
限られたスペースに各種部材を配置しようとすると、駆動源の動力を演出部材に伝達するための伝達部材（歯車等）を、光源から出射された光を遮断する位置に配置せざるを得ないことがある。つまり、動力伝達部材によって、万遍なく演出部材を照らすことができなくなってしまう。
【０００５】
本発明は、動源の動力を演出部材に伝達する動力伝達部材、および演出部材を照らす光源を備えた遊技機において、動力伝達部材の存在による演出部材を照らす光量のばらつきを低減することにある。
【課題を解決するための手段】
【０００６】
本発明にかかる遊技機は、一または複数の光源と、前記一または複数の光源から出射された光に照らされる演出部材と、前記演出部材に駆動源の動力を伝達する動力伝達部材と、を備え、前記動力伝達部材には、前記一または複数の光源うちの少なくとも一部の光源から出射された光を透過させる部分であって、前記駆動源の動力が伝達されたときに変位する移動透過部が形成されており、前記演出部材は前記駆動源の動力によって回転するものであり、前記演出部材には、前記一または複数の光源から出射された光を透過させる透過部が形成され、前記透過部は、前記演出部材の回転中心側から外側に向かって延びる一または複数の線状透過部を含むものであることを特徴とする。
【０００７】
このように、動力伝達部材に移動透過部が形成されていれば、動力伝達部材の後方に光源が設けられていても、光源から出射された光は移動透過部を通過し演出部材を照らす。そして、動力伝達部材に駆動源の動力が伝達されることによって（動力伝達部材が変位することによって）移動透過部が変位するため、移動透過部を通過する光の位置は一定ではなく、駆動源が駆動している限り変化する。つまり、移動透過部を通過する光が演出部材を照らす位置は一定ではないため、演出部材を照らす光量のばらつきを低減することが可能である。
【００１１】
また、光源から出射された光に照らされる演出部材が回転するものであって、光を透過させる透過部が形成されるものである場合、当該透過部が回転中心側から外側に向かって延びる線状であれば、あたかも発光しているかのように見える回転する演出部材の発光ムラを低減することが可能である。
【００１２】
前記演出部材は前記駆動源の動力によって一方向に回転するものであり、前記線状透過部は、前記演出部材の回転中心側から外側に向かって、当該演出部材の回転方向に湾曲または傾斜する形状を有するとよい。
【００１３】
このような形状とすれば、回転する演出部材の発光ムラをさらに低減することが可能である。
【００１４】
前記線状透過部は、光を透過させる点状の部分が線状に並んだものであるとよい。
【００１５】
点状の部分を線状に並べた線状透過部としても、回転する演出部材の発光ムラを低減することが可能である。また、場合によっては、点状の部分を線状に並べた透過部の方が、一体的な透過部を形成するよりも作製がしやすい。
【発明の効果】
【００１６】
本発明によれば、動力伝達部材の存在を理由とする、演出部材を照らす光量のばらつきを低減することが可能である。
【図面の簡単な説明】
【００１７】
【図１】本発明の一実施形態にかかる遊技機の正面図であり、演出装置（第一演出部材および第二演出部材）が原位置に位置した状態を示したものである（発射装置（発射ハンドル）等公知の部材は省略）。
【図２】遊技盤の後方に設けられたセンターベースおよびそれに支持された演出装置を示した図である。
【図３】前方から見た演出装置の分解斜視図である。
【図４】後方から見た演出装置の分解斜視図である。
【図５】第一演出部材の正面図である。
【図６】第二演出部材の正面図である。
【図７】光源から平歯車（移動透過部）に至るまでの断面を模式的に示した図である。
【図８】透過凸部と第二透過部の断面を模式的に示した図である。
【図９】透過凸部と第二透過部によって一方の演出部材に対し他方の演出部材が位置決めされる機能を高めるための変形例を示した図である。
【発明を実施するための形態】
【００１８】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１の左右方向を、上下方向とは図１の上下方向をいうものとする。
【００１９】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００２０】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００２１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２２】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。なお、本実施形態にかかる遊技機１は、いわゆるぱちんこ遊技機であるが、以下で説明する構成は、スロットマシン等、他の種類の遊技機にも適用可能である。
【００２３】
以下、本実施形態にかかる遊技機１が備える演出装置１ａについて詳細に説明する。図２〜図４に全体を示す演出装置１ａは、駆動源１０、動力伝達機構２０、光源３０、演出部材（第一演出部材４０および第二演出部材５０）を備える。
【００２４】
駆動源１０（図４参照）は、第一演出部材４０および第二演出部材５０を動作（本実施形態では回転）させるための動力を生じさせるものである。本実施形態における駆動源１０はモータである。かかる駆動源１０の動力は、動力伝達機構２０を介して第一演出部材４０および第二演出部材５０に伝達される。本実施形態における動力伝達機構２０は、平歯車２１（本発明における動力伝達部材に相当する）およびリング歯車２２を含む（図３参照）。リング歯車２２は、内歯歯車であり、当該リング歯車２２に平歯車２１が噛み合っている。つまり、環状のリング歯車２２の内側に平歯車２１が位置する。平歯車２１は、駆動源１０であるモータの出力軸に固定されている。リング歯車２２は、第一演出部材４０および第二演出部材５０と一体的に回転する。
【００２５】
平歯車２１には、光源３０から出射された光を透過させることが可能な移動透過部２２１が形成されている（図３参照）。本実施形態における移動透過部２２１は貫通孔であるが、光源３０の光を透過させることができる部分であればどのようなものであってもよい。光の色を変化させる有色の透過部であってもよい。本実施形態における平歯車２１には、その回転中心から等距離かつそれぞれが等間隔に並ぶように複数の移動透過部２２１が形成されている。平歯車２１が回転すると、それに合わせて各移動透過部２２１は変位することとなる（移動透過部２２１における「移動」の意は、平歯車２１の動きによって変位するということである）。つまり、平歯車２１が回転すると、それに合わせて各移動透過部２２１は平歯車２１の回転中心周りに変位することとなる。
【００２６】
図３等に示すように、光源３０は、円形の基板３１上に実装されている。本実施形態では、一つの基板３１上に複数の光源３０が実装されている。光源３０が実装された基板３１は、ベース部材６０に支持されている。本実施形態におけるベース部材６０は、第一ベース部６１（本発明における支持部材に相当する）と第二ベース部６２を有する。基板３１は、第一ベース部６１と第二ベース部６２の間に挟まれている。第一ベース部６１の周縁部と第二ベース部６２の周縁部は接続されて一体化されている。第一ベース部６１は、リング歯車２２の内側に位置している。第一ベース部６１には、上記平歯車２１が回転自在に支持されている。その他、第一ベース部６１には、回転方向位置を検出するためのセンサ等を固定することができる。また、第一ベース部６１には、光を透過させることが可能な部分が形成されている。本実施形態における当該部分は、空間（貫通孔）である（以下、当該部分を固定透過部６１１と称する）。
【００２７】
図７に示すように、光源３０から出射された光は固定透過部６１１を通じて演出部材側に向かう。固定透過部６１１の少なくとも一部は、平歯車２１に形成された移動透過部２２１の少なくとも一部と前後方向において重なる。平歯車２１が回転すると、固定透過部６１１と重なる移動透過部２２１が変化する。つまり、平歯車２１が回転し、その回転方向位置がどのような位置であっても、平歯車２１に形成されたいずれかの移動透過部２２１の少なくとも一部が、常に、固定透過部６１１の少なくとも一部と重なっている。そして、移動透過部２２１と固定透過部６１１が重なり得る（平歯車２１が一回転する間に重なることがある）領域の後方には、光源３０の少なくとも一部が位置する。したがって、当該光源３０から出射された光は、移動透過部２２１と固定透過部６１１が重なったとき、当該重なった領域を通じて演出部材側に向かう。第二ベース部６２の後方には駆動源１０であるモータが取り付けられている。
【００２８】
第一演出部材４０は、光源３０や動力伝達部材よりも前方に設けられた、外縁が略円形の部材である。具体的には、最も前方に位置する第一前壁部４１と、それより一段後方に位置する第一中壁部４２と、そこから周縁に向かって傾斜した第一周辺壁部４３と、を有する（図３〜図５等参照）。第一演出部材４０には、光源３０から出射された光を透過させる第一透過部が形成されている。本実施形態では、第一演出部材４０の全体が無色透明な材料で形成されている（第一演出部材４０の全体が第一透過部であるともいえる）。第一透過部を構成する第一前壁部４１には、光源とは反対側（本実施形態では前方）に向かって突出する透過凸部４１１が形成されている。当該透過凸部４１１も光透過性を有する（第一透過部の一部である）。当該透過凸部４１１は、第一演出部材４０の前面に複数形成されている（図５等参照）。当該凸部４１１の先端面は、凸レンズ面となっている。当該透過凸部４１１の数や形成される位置は、後述する第二演出部材５０の第二透過部５１１の数や位置と一致する。
【００２９】
第一中壁部４２には、前方に向かって突出する係合突起４２１が形成されている（図３〜図５参照）。係合突起４２１は、周方向に沿って等間隔に並ぶよう形成されている。当該係合凸部の数や係合突起４２１同士の間隔は、後述する第二演出部材５０の被係合部５２１の数や被係合部５２１同士の間隔と一致する。本実施形態では、係合突起４２１も光透過性を有する。係合突起４２１は、先端側が先端に向かって先細となる形状を有する。
【００３０】
第二演出部材５０は、第一演出部材４０よりさらに前方に設けられた、外縁が略円形の部材である。具体的には、最も前方に位置する第二前壁部５１と、それより一段後方に位置する第二中壁部５２と、そこから周縁に向かって傾斜した第二周辺壁部５３と、を有する（図３、図４、図６等参照）。第二演出部材５０は、第一演出部材４０と異なり、後述する第二透過部５１１や被係合部５２１（両方とも貫通孔である）以外の部分は光を透過させるものではなく、表面は反射材料に覆われている。本実施形態における第二演出部材５０は、蒸着によって反射材料（例えばアルミニウム）が母材（プラスチック）に固定化されたものである。
【００３１】
第二演出部材５０には、光源３０から出射された光を透過させる第二透過部５１１が形成されている。本実施形態における第二透過部５１１は、第二前壁部５１を貫く貫通孔の集合体である。本実施形態における個々の貫通孔（以下、第二透過部５１１を構成する一つ一つの貫通孔を個々の第二透過部５１１と称することもある）の断面形状は円形であり（円形以外の形状であってもよい）、孔の内周面は前方（光の出射方向）に向かって広がる部分５１１１を含む。本実施形態における当該部分５１１１はテーパ形状である。つまり、個々の第二透過部５１１（貫通孔）の内周面は、前方に向かうに従い直径が大きくなっていく形状である。本実施形態における第二演出部材５０の表面は反射材料で覆われているため、当該個々の第二透過部５１１（貫通孔）の内周面も反射材料で覆われているということとなる。
【００３２】
このような貫通孔の集合体（点状の光透過部の集合体）である第二透過部５１１は、第二演出部材５０の中心（回転中心Ｃ）から外側に向かって延びる線状を呈する。本実施形態では、五つの貫通孔が線状に並ぶことにより、集合体としての線状の第二透過部５１１を構成する。本実施形態では、このような線状の第二透過部５１１が周方向に等間隔に並んで複数形成されている。線状の第二透過部５１１は、第二演出部材５０の中心から径方向に沿って延びるものではなく、湾曲または（径方向に対して）傾斜した形状を呈する。本実施形態では、第二演出部材５０の中心から離れるにつれて、周方向位置が変化するよう湾曲している。後述するように、第二演出部材５０は駆動源１０の動力によって一方向に回転するものであるが、線状の第二透過部５１１が第二演出部材５０の中心（回転中心Ｃ）から外側に向かって延びる（湾曲または傾斜する）方向は、第二演出部材５０の回転方向側となるように設定されている。本実施形態における第二演出部材５０は、前方から見て反時計回りで回転するものであるため、線状の第二透過部５１１も第二演出部材５０の中心から反時計回りとなる方向に湾曲する形状を呈する。本実施形態では、このような線状の第二透過部５１１が、周方向において等間隔に並ぶ（図６等参照）。
【００３３】
個々の第二透過部５１１（貫通孔）の数や位置は、上記透過凸部４１１の数や形成される位置と一致する。第一演出部材４０と第二演出部材５０は、第二演出部材５０を前方にして重ねられる（第一前壁部４１と第二前壁部５１が重ねられる）こととなるが、第一演出部材４０と第二演出部材５０の相対位置関係を所定の関係とすると、各透過凸部４１１は各第二透過部５１１（貫通孔）内に入り込んだ状態となる。つまり、各透過凸部４１１は、各第二透過部５１１（孔部分）と前後方向において重なる。本実施形態では、透過凸部４１１の周囲に、各第二透過部５１１（貫通孔）の内周面における前方に向かって広がる部分５１１１が位置する（図８参照）。
【００３４】
第二演出部材５０の第二中壁部５２には、貫通孔である被係合部５２１が形成されている（図３、図４、図６参照）。被係合部５２１は、周方向に沿って等間隔に並ぶよう形成されている。当該被係合部５２１の数や被係合部５２１同士の間隔は、上記係合突起４２１の数や係合突起４２１同士の間隔と一致する。第一演出部材４０と第二演出部材５０の相対位置関係を所定の関係とすると、各透過凸部４１１が各第二透過部５１１（貫通孔）内に入り込んだ状態となるのみならず、各係合突起４２１が各被係合部５２１内に入り込んだ状態となる。このように、係合突起４２１と被係合部５２１が係合した状態にあるため、第一演出部材４０と第二演出部材５０の周方向における相対位置はほとんど変化しない（係合突起４２１と被係合部５２１の間の隙間分わずかに変化してもよい）。つまり、係合突起４２１と被係合部５２１の係合により、一方の演出部材に対して他方の演出部材が位置決めされ、第一演出部材４０と第二演出部材５０は一体的に回転する。
【００３５】
第二周辺壁部５３は、第一周辺壁部４３と傾斜角度が略同じに設定されている。第一演出部材４０と第二演出部材５０の相対位置関係を所定の関係とすると、第一周辺壁部４３と第二周辺壁部５３は密接する。
【００３６】
第二演出部材５０は、上記リング歯車２２と一体化されている。本実施形態では、第二演出部材５０（第二周辺壁部５３）の外縁側に設けられたねじ穴を利用し、複数のねじによって第二演出部材５０とリング歯車２２が一体化されている。
【００３７】
さらに、本実施形態では、第二演出部材５０は、それよりさらに前方に位置する反射球体７０に覆われている（図２〜図４等参照）。反射球体７０は、全体形状は球体（反球体）であるものの、厳密にはその外面が完全な球面ではない。後述するように、第二演出部材５０の第二透過部５１１等からは光が出射されることとなるが、当該光を乱反射させるような外面形状となっている。なお、このような反射球体７０が設けられていなくてもよい。
【００３８】
このように構成される演出装置１ａの動作および演出効果について、一部上記説明と重複するが以下詳細に説明する。本実施形態における演出装置１ａは、第一演出部材４０と第二演出部材５０を回転させつつ、所定の態様で発光させる（光源３０の光で照らす）ものである。なお、演出装置１ａ全体は、表示装置９１の表示領域の上方に位置し、大部分が遊技盤９０に覆われた原位置と、表示装置９１の表示領域に重なる進出位置との間を移動することが可能である。かかる演出装置１ａ全体を移動させるための構造はどのようなものであってもよいため、具体的な説明を省略する。本実施形態における演出装置１ａは、遊技盤９０の後方に設けられたセンターベース８０に、演出装置１ａ全体を上下方向にスライドさせる駆動機構が設けられている。演出装置１ａは、その幅方向両側がセンターベースに対してスライド自在に支持されている（図２参照）。なお、第一演出部材４０と第二演出部材５０は回転するものの、演出装置１ａ全体が移動することがないものであってもよい。
【００３９】
第一演出部材４０と第二演出部材５０を動作（回転）させる際には、駆動源１０であるモータを一方に回転（正転）させる。当該駆動源１０の動力は、平歯車２１を介してリング歯車２２に伝達される。リング歯車２２が回転するとそれに固定された第二演出部材５０が回転する。第二演出部材５０の被係合部５２１には、第一演出部材４０の係合突起４２１が係合しているため、第一演出部材４０は第二演出部材５０とともに回転する。上述したように、本実施形態における当該回転方向は反時計回りである。本実施形態では、第二演出部材５０の外形は、第一演出部材４０の外形より大きいため、遊技者には第二演出部材５０が反時計回りに回転しているように見える。
【００４０】
本実施形態では、このように第一演出部材４０と第二演出部材５０を回転させている際に光源３０を駆動する。なお、光源３０を駆動させずに第一演出部材４０と第二演出部材５０を回転させるだけの演出が実行されることがあってもよい。光源３０から出射された光は、第一ベース部６１に形成された固定透過部６１１を通過する。また、固定透過部６１１の少なくとも一部は、平歯車２１に形成された移動透過部２２１の少なくとも一部と前後方向において重なっている（図７参照）。そのため、固定透過部６１１を通過した光の少なくとも一部は、固定透過部６１１と重なる移動透過部２２１を通じて前方に向かう。第一演出部材４０と第二演出部材５０を回転させているということは、平歯車２１が回転しているということであるため、固定透過部６１１と重なる移動透過部２２１は経時的に変化する。光源３０から出射された光の少なくとも一部は、当該固定透過部６１１と移動透過部２２１が重なった領域を通じて前方に向かうこととなる。平歯車２１が回転し、移動透過部２２１が変位しているため、当該重なった領域の位置や形状は経時的に変化する。それゆえ、移動透過部２２１を通過する光の位置は一定ではなく、平歯車２１が回転（駆動源１０が駆動）している限り変化する。つまり、移動透過部２２１を通過する光の位置は一定ではないため、平歯車２１よりも前方に位置する第一演出部材４０や第二演出部材５０を照らす光量のばらつきを低減することが可能である。
【００４１】
演出装置１ａ全体の大型化を抑制しようとすると、光源３０の光出射側に駆動源１０の動力伝達機構２０を構成する動力伝達部材が位置してしまう（光源３０と動力伝達部材が光の出射方向において重なってしまう）。これに対し本実施形態では、動力伝達部材である平歯車２１と光源３０を重ねて設置することで（具体的には、リング歯車２２の内側に光源３０や平歯車２１を設けることで）演出装置１ａの大型化を抑制しつつ、当該平歯車２１に移動透過部２２１を形成することで、平歯車２１と光源３０とが重なることによって明るさのばらつきが生じてしまうのを抑制している。
【００４２】
なお、このような移動透過部２２１を形成する対象（動力伝達部材）は、歯車に限られない。駆動源１０の動力を伝達する部材であって、平面方向における面積が所定量以上であるため、光源３０から出射される光を阻害するおそれがあるものについて、同様に移動透過部２２１を形成してもよい。二以上の動力伝達部材のそれぞれに移動透過部２２１を形成してもよい。この場合には、同時に変位する二以上の動力伝達部材のそれぞれに形成された移動透過部２２１同士が重なり、当該重なった領域を光が通過する構造としてもよい。
【００４３】
固定透過部６１１や当該固定透過部６１１と移動透過部２２１の重なった領域を通過した光は、第一演出部材４０に到達する。第一演出部材４０はその全体が光透過性材料で形成されている（全体が第一透過部である）ため、光は第一演出部材４０を透過する。
【００４４】
第二演出部材５０の後方に到達した光は、第二演出部材５０に形成された光を透過させる部分を通じて前方に出射される。本実施形態では、第二演出部材５０に形成された第二透過部５１１を通過することとなる。貫通孔である個々の第二透過部５１１内には、第一演出部材４０に形成された透過凸部４１１が入り込んでいる。つまり、第一演出部材４０の透過凸部４１１内を通った光が、第二透過部５１１を通じて前方に出射される。
【００４５】
第二透過部５１１は、光を透過させる貫通孔が第二演出部材５０の中心から外側に向かって線状に並んだものである。したがって、第二透過部５１１から出射される光は、第二演出部材５０が停止しているとするのであれば、第二透過部５１１の形状に沿った線状の光となる。ただし、第二演出部材５０は反時計回りで回転している（図６参照）ため、当該線状の光は高速で周方向に変位することとなり、第二演出部材５０における中心から所定位置（第二透過部５１１の径方向外側の先端位置）までの部位が万遍なく光っているかのように見える。第二演出部材５０に適当に光透過部を形成すると、第二演出部材５０を回転させたとしても、一部が局所的に明るくまたは暗くなり、明るさにばらつき（発光ムラ）が生じてしまうことがある。本実施形態では、上記のような第二透過部５１１の形状とすることで、第二演出部材５０を回転させたときの光のばらつきを低減させることが可能である。特に、本実施形態における線状の第二透過部５１１は、第二演出部材５０の中心から反時計回りとなる方向に湾曲または傾斜する形状を呈するものであるため（径方向に延びる形状である場合よりも）、第二演出部材５０を回転させたときにおける当該ばらつきが小さい。本実施形態のように湾曲している方が、当該ばらつきを小さくすることが可能である。
【００４６】
また、本実施形態では、第一透過部（第一演出部材４０）に到達した光の少なくとも一部は、光源３０とは反対側に突出した透過凸部４１１より出射されることとなるが、当該透過凸部４１１の存在により、第一透過部（第一演出部材４０）に到達した光が当該透過凸部４１１に集まる。例えば、このような透過凸部４１１が形成されていないとすると、第一透過部である第一前壁部４１から出射される光は平面方向に均等になってしまうところ、本実施形態では、透過凸部４１１による集光作用により、透過凸部４１１から出射される光の量を増加させることが可能である。また、平面方向における第一透過部（第一演出部材４０）に到達する光量にばらつきがあっても、実際に光が出射される部分は集光作用を発揮する透過凸部４１１等に限定されることとなるため、見た目上の光量のばらつきを低減することが可能である。
【００４７】
そして、反射材料で覆われている第二透過部５１１の内周面は、前方に向かって広がる部分５１１１を有し、その内側に透過凸部４１１が位置する（図８参照）。したがって、透過凸部４１１から出射した光は、当該広がる部分５１１１によって反射し、外側に向かって広がる光となる。したがって、個々の第二透過部５１１（貫通孔）の中心部分が明るくなることによる明るさのばらつきを低減することが可能である。また、個々の第二透過部５１１（貫通孔）同士の間の部分が暗くなることを抑制することが可能である。
【００４８】
また、本実施形態における第一演出部材４０は、その全体が光透過性材料で形成されているため、各係合突起４２１内を光は通過する。各係合突起４２１は、第二演出部材５０に形成された貫通孔である各被係合部５２１内に入り込んでいるため、係合突起４２１内を通過した光は、被係合部５２１を通じて前方に向かって出射される。つまり、本実施形態では、一方の演出部材に対して他方の演出部材を位置決めする（第一演出部材４０と第二演出部材５０を一体的に回転させる）ための係合突起４２１と被係合部５２１を、第二演出部材５０の前方に向かって光を出射させるための構成としても利用している。そして、係合突起４２１およびそれが係合する被係合部５２１は、周方向に等間隔に形成されているため、係合突起４２１および被係合部５２１が並ぶ方向における明るさのばらつきを低減することが可能である。
【００４９】
以上、本発明の実施の形態について詳細に説明したが、本発明は上記実施の形態に何ら限定されるものではなく、本発明の要旨を逸脱しない範囲で種々の改変が可能である。
【００５０】
例えば、上記実施形態における第一透過部や第二透過部５１１は、光が通過可能な部分であればよく、通過する光の色を変化させたり、通過する光の光量を制限したりする部分（例えば半透明な部分）であってもよい。また、光源３０から出射される光の態様（発光色等）はどのようなものであってもよい。
【００５１】
また、上記実施形態では、点状の光透過部（貫通孔）が線状に並ぶことによって線状の第二透過部５１１が形成されていることを説明したが、このような複数の点状の光透過部の集合体によって第二透過部５１１を構成するのではなく、細長い線状の貫通孔等によって第二透過部５１１を構成してもよい。
【００５２】
また、上記実施形態では、第一演出部材４０の係合突起４２１と第二演出部材５０の被係合部５２１が係合することによって一方の演出部材に対して他方の演出部材を位置決めしている（第一演出部材４０と第二演出部材５０が一体的に回転するようにしている）ことを説明したが、このような係合突起４２１、被係合部５２１が設けられていなくてもよい。具体的には、第一演出部材４０の各透過凸部４１１と、第二演出部材５０の各第二透過部５１１（各貫通孔）との係合によって一方の演出部材に対して他方の演出部材が位置決めされるようにしてもよい。事実、上記実施形態において、係合突起４２１、被係合部５２１が設けられていなくても、透過凸部４１１と第二透過部５１１（貫通孔）の係合により、両演出部材の相対的な位置関係が決まり（一方の演出部材に対して他方の演出部材が位置決めされ）、両演出部材は一体的に回転する。このように、明るさのばらつきを低減するための構造を、一方の演出部材に対して他方の演出部材を位置決めするための構造としても利用すること可能である。
【００５３】
当該位置決め機能をより正確なものとするためには、図９に示すような構造にするとよい。第二透過部５１１は、前方に向かって広がる部分５１１１と、断面の大きさが一定である部分５１１２を所定長さ含むものとする。透過凸部４１１は、少なくともその基端側に太さが一定である部分４１１１を所定長さ含むものとする。当該断面の大きさが一定である部分５１１２と、太さが一定である部分４１１１が接触することによって、一方の演出部材に対し他方の演出部材が位置決めされるようにするとよい。
【００５４】
また、上記実施形態では、第一ベース部６１に形成された固定透過部６１１と平歯車２１（動力伝達部材）に形成された移動透過部２２１が重なった領域を光が通過することを説明したが、かかる第一ベース部６１（固定透過部６１１）に相当する構成が設けられていなくてもよい。上記実施形態でいえば、光源３０が実装された基板３１に貫通孔が形成され、当該貫通孔を通じて第二ベース部６２に相当する構成に平歯車２１が支持された構造としてもよい。つまり、光源３０の前方に動力伝達部材が位置するため、当該動力伝達部材によって明るさにばらつきが生じてしまうおそれがある場合に、当該動力伝達部材に移動透過部２２１を形成することで、当該ばらつきを抑制することが可能である。
【００５５】
上記実施形態における演出装置１ａは、演出部材（第二演出部材５０）が前方（遊技者側）に向かって光を出射する（光を出射しているかのように見せる）ことを前提として設計されたものであるが、当該方向は適宜変更可能である。つまり、光の出射方向が前方以外の方向に設定されるものについても、同様の技術思想が適用可能である。
上記実施形態から得られる具体的手段（遊技機）を以下に列挙する。
手段１にかかる遊技機は、一または複数の光源と、前記一または複数の光源から出射された光に照らされる演出部材と、前記演出部材に駆動源の動力を伝達する動力伝達部材と、を備え、前記動力伝達部材には、前記一または複数の光源うちの少なくとも一部の光源から出射された光を透過させる部分であって、前記駆動源の動力が伝達されたときに変位する移動透過部が形成されていることを特徴とする。
このように、動力伝達部材に移動透過部が形成されていれば、動力伝達部材の後方に光源が設けられていても、光源から出射された光は移動透過部を通過し演出部材を照らす。そして、動力伝達部材に駆動源の動力が伝達されることによって（動力伝達部材が変位することによって）移動透過部が変位するため、移動透過部を通過する光の位置は一定ではなく、駆動源が駆動している限り変化する。つまり、移動透過部を通過する光が演出部材を照らす位置は一定ではないため、演出部材を照らす光量のばらつきを低減することが可能である。
手段２にかかる遊技機は、手段１に記載の遊技機において、前記光源と前記動力伝達部材の間に位置する支持部材を備え、前記支持部材には、前記一または複数の光源うちの少なくとも一部の光源から出射された光を透過させる固定透過部が形成され、前記動力伝達部材がどのような位置に位置するときであっても、前記移動透過部の少なくとも一部が前記固定透過部の少なくとも一部と重なることを特徴とする。
このように構成すれば、移動透過部と固定透過部が重なった領域を光源からの光が通過することとなる（光が動力伝達部材や支持部材によって遮断される時点が存在しない）ため、演出部材を照らす光量のばらつきをさらに低減することが可能である。
手段３にかかる遊技機は、手段１または手段２に記載の遊技機において、前記演出部材は前記駆動源の動力によって回転するものであり、前記演出部材には、前記一または複数の光源から出射された光を透過させる透過部が形成され、前記透過部は、前記演出部材の回転中心側から外側に向かって延びる一または複数の線状透過部を含むものであることを特徴とする。
光源から出射された光に照らされる演出部材が回転するものであって、光を透過させる透過部が形成されるものである場合、当該透過部が回転中心側から外側に向かって延びる線状であれば、あたかも発光しているかのように見える回転する演出部材の発光ムラを低減することが可能である。
手段４にかかる遊技機は、手段３に記載の遊技機において、前記演出部材は前記駆動源の動力によって一方向に回転するものであり、前記線状透過部は、前記演出部材の回転中心側から外側に向かって、当該演出部材の回転方向に湾曲または傾斜する形状を有することを特徴とする。
このような形状とすれば、回転する演出部材の発光ムラをさらに低減することが可能である。
手段５にかかる遊技機は、手段３または手段４に記載の遊技機において、前記線状透過部は、光を透過させる点状の部分が線状に並んだものであるとよい。
点状の部分を線状に並べた線状透過部としても、回転する演出部材の発光ムラを低減することが可能である。また、場合によっては、点状の部分を線状に並べた透過部の方が、一体的な透過部を形成するよりも作製がしやすい。
【符号の説明】
【００５６】
１  遊技機
１ａ  演出装置
１０  駆動源
２０  動力伝達機構
２１  平歯車（動力伝達部材）
２２１  移動透過部
２２  リング歯車
３０  光源
４０  第一演出部材（第一透過部）
４１１  透過凸部
４２１  係合突起
５０  第二演出部材
５１１  第二透過部
５２１  被係合部
６１  第一ベース部（支持部材）
６１１  固定透過部
【図１】
0006045086.tif 000002
【図２】
0006045086.tif 000003
【図３】
0006045086.tif 000004
【図４】
0006045086.tif 000005
【図５】
0006045086.tif 000006
【図６】
0006045086.tif 000007
【図７】
0006045086.tif 000008
【図８】
0006045086.tif 000009
【図９】
0006045086.tif 000010